(57)【要約】      （修正有）【課題】ストレスを加える時と加えない時の受信信号間の相関度を正確に得ることができ、客観的な条件で弾性映像を形成するための超音波診断システム及び方法を提供する。【解決手段】対象体にストレスが加えられない時に第１送信信号を形成し、ストレスが加えられる時に第１送信信号と異なる波形を有する第２送信信号を形成し、第１送信信号と第２送信信号にそれぞれ対応する第１受信信号及び第２受信信号を形成し、第１受信信号と第２受信信号に基づいて対象体の変形率を算出して圧縮率を推定し、これに基づいて弾性映像を形成する。【選択図】図１
2007195984.tif 000002
【特許請求の範囲】
【請求項１】
超音波弾性映像を形成するための超音波診断システムであって、
対象体に圧力が加えられる時と加えられない時に異なる波形の送信信号を形成するための送信信号形成部と、
前記送信信号を超音波信号に伝送し、前記対象体から反射される超音波エコー信号に基づいて受信信号を形成するためのプローブと、
前記受信信号に基づいて前記圧力による対象体のストレインを計算するためのプロセッサと、
前記ストレインに基づいて超音波弾性映像を形成するための後処理部とを備える、超音波診断システム。
【請求項２】
超音波弾性映像を形成するための超音波診断システムであって、
対象体に圧力が加えられる時と加えられない時に異なる波形の送信信号を形成するための送信信号形成部と、
前記送信信号を超音波信号に伝送し、前記対象体から反射される超音波エコー信号に基づいて受信信号を形成するためのプローブと、
前記受信信号に基づいて前記圧力による対象体の変位及びストレインを計算し、前記変位に基づいて圧縮率を推定するためのプロセッサと、
前記ストレイン及び前記圧縮率に基づいて超音波弾性映像を形成するための後処理部とを備える、超音波診断システム。
【請求項３】
対象体にストレスが加えられない時に第１送信信号を形成し、ストレスが加えられる時に第１送信信号と異なる波形を有する第２送信信号を形成する送信信号形成部と、
前記第１送信信号または第２送信信号を超音波信号に変換させて前記対象体に伝達し、前記対象体から入力される超音波エコー信号に基づいて前記第１送信信号と前記第２送信信号にそれぞれ対応する第１受信信号及び第２受信信号を形成するプローブと、
前記第１受信信号及び第２受信信号に基づいて第１フレームデータ及び第２フレームデータをそれぞれ形成するフレームデータ形成部と、
前記第１受信信号と第２受信信号に基づいて前記ストレスによる対象体の変位及び前記対象体の変形率を算出し、前記変位に基づいて圧縮率を推定するプロセッサと、
前記圧縮率と前記変形率に基づいて弾性映像を形成する後処理部と、
前記弾性映像をディスプレイするディスプレイ部と
を備える超音波診断システム。
【請求項４】
前記第２フレームデータ及び前記第２フレームデータからそれぞれ前記第１及び第２受信信号を抽出し、各フレームデータに集束された第１受信信号及び第２受信信号をログ圧縮する前処理部をさらに備え、
前記プロセッサは、前記ログ圧縮された第１受信信号と第２受信信号に基づいて前記変位を計算し、前記変位を距離に対して微分して前記変形率を算出する、請求項３に記載の超音波診断システム。
【請求項５】
前記送信信号形成部は、前記圧縮率を反映させて前記第２送信信号を形成する、請求項３に記載の超音波診断システム。
【請求項６】
前記超音波システムは、
前記ログ圧縮された第１受信信号と第２受信信号からストレスによる対象体の動きを推定する側面動き推定部をさらに備え、
前記プロセッサは、前記変位を反映させて前記変形率を算出する、請求項４に記載の超音波診断システム。
【請求項７】
前記プローブは多数の変換子を含み、
前記プロセッサは、前記各変換子から前記対象体に至る全ての走査線に対して圧縮率を算出し、
前記全ての走査線の圧縮率を平均して平均圧縮率を算出する、請求項５に記載の超音波診断システム。
【請求項８】
前記送信信号形成部は、前記平均圧縮率を反映させて前記第２送信信号を形成する、請求項７に記載の超音波診断システム。
【請求項９】
前記超音波診断システムは、
前記対象体に加えられるストレスを感知してストレス感知信号を生成するストレス感知部をさらに備え、
前記送信信号形成部は、
前記ストレス感知信号に応答して前記第２送信信号を生成する、請求項５に記載の超音波診断システム。
【請求項１０】
前記超音波診断システムは、
ストレス開始信号がユーザから入力されるユーザ入力部をさらに備え、
前記送信信号形成部は、
前記ストレス開始信号に応答して前記第２送信信号を生成する、請求項５に記載の超音波診断システム。
【請求項１１】
前記後処理部は、前記変形率を前記平均圧縮率で除して正規化された弾性映像を形成する、請求項５に記載の超音波診断システム。
【請求項１２】
超音波弾性映像形成方法であって、
対象体に圧力が加えられる時と加えられない時に異なる波形の送信信号を形成し、
前記送信信号を超音波信号に伝送し、前記対象体から反射される超音波エコー信号に基づいて受信信号を形成し、
前記受信信号に基づいて前記圧力による対象体のストレインを計算し、
前記ストレインに基づいて超音波弾性映像を形成する、超音波弾性映像形成方法。
【請求項１３】
超音波弾性映像形成方法であって、
対象体に圧力が加えられる時と加えられない時に異なる波形の送信信号を形成し、
前記送信信号を超音波信号に伝送し、前記対象体から反射される超音波エコー信号に基づいて受信信号を形成し、
前記受信信号に基づいて前記圧力による対象体の変位及びストレインを計算し、前記変位に基づいて圧縮率を推定し、
前記ストレイン及び前記圧縮率に基づいて超音波弾性映像を形成する、超音波弾性映像形成方法。
【請求項１４】
対象体にストレスが加えられない時に第１送信信号を形成し、ストレスが加えられる時に第１送信信号と異なる波形を有する第２送信信号を形成し、
前記第１送信信号または第２送信信号を超音波信号に変換させて前記対象体に伝達し、
前記対象体から入力される超音波エコー信号に基づいて受信信号を形成し、前記第１送信信号及び前記第２送信信号にそれぞれ対応して第１受信信号及び第２受信信号を形成し、
前記受信信号を集束してフレームデータを形成し、前記第１受信信号及び第２受信信号をそれぞれ集束して第１フレームデータ及び第２フレームデータを形成し、
前記第１受信信号と第２受信信号に基づいて前記対象体の変位及び変形率を算出し、
前記変位に基づいて圧縮率を推定し、
前記圧縮率と前記変形率に基づいて弾性映像を形成する、弾性映像形成方法。
【請求項１５】
前記第１フレームデータ及び前記第２フレームデータを順に抽出し、各フレームデータに集束された第１受信信号及び第２受信信号をログ圧縮し、
前記変位は、前記ログ圧縮された第１受信信号と第２受信信号に基づいて算出し、
前記変形率は、前記変位を距離に対して微分して算出する、請求項１４に記載の弾性映像形成方法。
【請求項１６】
前記第２送信信号は、前記圧縮率を反映させて形成する、請求項１４に記載の弾性映像形成方法。
【請求項１７】
前記ログ圧縮された第１受信信号と第２受信信号からストレスによる対象体の動きを推定し、
前記変位は、前記推定された動きを反映させて算出する、請求項１５に記載の弾性映像形成方法。
【請求項１８】
前記第１受信信号または前記第２受信信号は、多数の変換子を含むプローブを通じて得て、
前記各変換子から対象体に至る全ての走査線に対して前記圧縮率を算出し、
前記全ての走査線の圧縮率を平均して平均圧縮率を算出する、請求項１６に記載の弾性映像形成方法。
【請求項１９】
前記第２送信信号は、前記平均圧縮率を反映させて形成する、請求項１８に記載の弾性映像形成方法。
【請求項２０】
前記対象体に加えられるストレスを感知してストレス感知信号を生成し、
前記ストレス感知信号に応答して前記第２送信信号を生成する、請求項１６に記載の弾性映像形成方法。
【請求項２１】
ストレス開始信号がユーザから入力され、
前記ストレス開始信号に応答して前記第２送信信号を生成する、請求項１７に記載の弾性映像形成方法。
【請求項２２】
前記変形率を前記平均圧縮率の絶対値で除して正規化された弾性映像を形成する、請求項１８に記載の弾性映像形成方法。
【発明の詳細な説明】
【技術分野】
【０００１】
本発明は超音波診断システム及び方法に関し、より具体的には超音波弾性映像形成のための超音波診断システム及び方法に関する。
【背景技術】
【０００２】
超音波診断装置は重要な診断装置のうちの一つとして多様な分野で用いられている。特に、超音波診断装置は、対象体に対して無侵襲及び非破壊特性を有するため、医療分野に広く用いられている。
【０００３】
超音波診断装置は変換素子アレイを含むプローブを用いて超音波信号を発生及び送信する。超音波信号は各変換素子が電気的に刺激される時に発生し、人体のような対象体に伝達される。超音波信号が対象体に伝搬される時、対象体の内部組織及び内部組織を取り囲む媒体は不連続的な音響インピーダンスを有するため、内部組織の表面で超音波エコー信号が生成される。超音波エコー信号は変換素子に伝達され、電気的受信信号に変換される。その受信信号に基づいて対象体の内部組織のＢモード超音波映像のような普通の超音波映像が形成される。
【０００４】
対象体にストレスが加えられれば、対象体の内部組織は変形される。即ち、少なくとも一部の内部組織の位置が変更される。内部組織の変形は受信信号の移動を引き起こす。受信信号及び受信信号の移動を用いて、超音波弾性映像が形成される。
【０００５】
癌や腫瘍のような非正常組織は正常組織に比べて硬いので、外部から同じ大きさのストレスを加える時、柔らかい正常組織に比べて変形される程度が小さい。即ち、非正常組織から発生した超音波エコー信号による受信信号の移動量が正常組織から発生した超音波エコー信号による受信信号の移動量より少ない。従って、超音波弾性映像では正常組織と非正常組織との間の区別が可能になる。
【０００６】
超音波弾性映像は、組織の弾性係数を用いて映像化する弾性係数映像法と、ストレスに対する組織の変形率即ち、ストレインを用いるストレイン映像法で形成できる。
【０００７】
ストレスによる受信信号の移動は超音波弾性映像内組織の位置変化として表現される。組織の位置変化から組織の弾性係数またはストレインを求め、１次元、２次元または３次元で再構成することによって非正常組織の位置、大きさ、状態などを診断することができる。
【０００８】
１次元的である媒質の変形を詳察するとき、ストレスσ，弾性係数Ｅ，変形率ε間には次の式１のような関係が成立する。
σ＝Eε                -----式１
【０００９】
弾性係数映像法は、式１に基づいて弾性係数Ｅのプロファイルを求め、ストレイン映像方法は、変形率εのプロファイルを求める。弾性係数を求めるためにストレス推定が先行しなければならない弾性係数映像法は定量的な方法といえ、ストレイン映像方法はストレスを定数で近似するので、定性的な方法といえる。弾性係数映像法は、逆問題を解かなければならないという制約があり、現実的に用い難いため、１９９０年代初めからストレイン映像方法に対する多くの研究が進められている。
【００１０】
組織の変形率を求めるために、ストレスが加えられない時の第１受信信号とストレスが加えられた時の第２受信信号を比較する。第１受信信号は圧縮されていない対象体からの反射超音波信号であり、第２受信信号は圧縮された対象体からの反射超音波信号であるので、図１に示した通り、第２受信信号は第１受信信号の圧縮された形態となる。第１受信信号と第２受信信号を比較するためには、対象体の大きさ、より具体的に対象体内の反射体の間隔を同一の条件で回復させなければならないので、第２受信信号を伸長させる。しかし、従来技術はストレスを加えない時や加える時、同一の波形の信号を人体内に送信するため、第２受信信号を伸長させれば、反射体間の間隔は本来通り回復するが、送信信号の幅も増えるようになるので、変形率推定に悪影響を及ぼし、第１受信信号と第２受信信号の相関性を低下させる問題が発生する。
【００１１】
以下、従来技術の問題をより具体的に説明する。
Ｂ−モード超音波映像を得るための送信信号をp(t)とし、反射体の位置を示す散乱関数をs(t)とすれば、受信信号r(t)は次の式２のように表現することができる。
r(t)＝p(t)＊s(t)        -----式２
式２で‘＊’は重畳積分（ｃｏｎｖｏｌｕｔｉｏｎ）を示す。
【００１２】
反射体の反射係数をＡ、変換子と反射体間の距離をｄ、音速をｃ、対象体内の反射体の総個数をＮとするとき、散乱関数は次の式３のように与えられる。
2007195984.tif 000003
【００１３】
同じ送信信号p(t)を用いた時、ストレスを加えない場合の第１受信信号r1(t)とストレスを加える場合の第２受信信号r２(t)とはそれぞれ次の式４及び式５のように与えられる。式４と５において、s1(t)とs2(t)はそれぞれストレスを加えない場合とストレスを加える場合の散乱関数を示す。
r1(t)＝p(t)＊s1(t)          -----式４
r2(t)＝p(t)＊s2(t)          -----式５
【００１４】
第２受信信号の圧縮率（ｃｏｍｐｒｅｓｓｉｂｉｌｉｔｙ）をα（α＞１）とする時、式４と式５からストレス有無による散乱関数は次の式６のような関係を有する。
s2(t)＝s1(αt)＝s(αt)      -----式６
式６からストレスが加えられることによって反射体間の間隔が狭くなることが分かる。
【００１５】
第１受信信号r1(t)と第２受信信号r2(t)を比較して変形率を求めるために、超音波映像の深さ方向に二つの受信信号r1(t)とr2(t)を多数のセグメントで除し、二つの受信信号の対応セグメント間の相関関数をとり、相関関数が最大になる遅延時間を計算して微分を求めれば、変形率を推定することができる。式５と式６から次の式７を得て、これを時間領域で伸長させて式８を得る。
r2(t)＝p(t)＊s1(αt)          -----式７
r2(t/α)＝p(t/α)＊s1(t)      -----式８
【００１６】
式８を通じて分かるように、第２受信信号r2(t)を時間軸で伸長させれば、送信信号p(t)も伸長する。従って、ストレス有無に関係なく同一の送信信号p(t)を印加したにもかかわらず、式８でのようにr2(t)には伸長した送信信号p(t/α)が反映され、第１受信信号r1(t)と第２受信信号r2(t)を時間軸で伸長させたr2(t/α)の相関関数の最大値を正確に得難い。特に、人体内の反射体の密度は単位波長当り数十個程度に達するので、第１受信信号r1(t)と第２受信信号r2(t)の波形が多く変わり、二つの信号間の相関度を把握し難くなる問題があった。
【発明の開示】
【発明が解決しようとする課題】
【００１７】
前述した問題を解決するための本発明は、ストレスを加える時と加えない時の受信信号間の相関度をより正確に得ることができ、より客観的な条件で弾性映像を形成するための超音波診断システム及び方法を提供することにその目的がある。
【課題を解決するための手段】
【００１８】
本発明の一様態による超音波診断システムは、超音波弾性映像を形成するための超音波診断システムであって、対象体に圧力が加えられる時と加えられない時に異なる波形の送信信号を形成するための送信信号形成部と、前記送信信号を超音波信号に伝送し、前記対象体から反射される超音波エコー信号に基づいて受信信号を形成するためのプローブと、前記受信信号に基づいて前記圧力による対象体のストレインを計算するためのプロセッサと、前記ストレインに基づいて超音波弾性映像を形成するための後処理部とを備える。
【００１９】
本発明の他の様態による超音波診断システムは、超音波弾性映像を形成するための超音波診断システムであって、対象体に圧力が加えられる時と加えられない時に異なる波形の送信信号を形成するための送信信号形成部と、前記送信信号を超音波信号に伝送し、前記対象体から反射される超音波エコー信号に基づいて受信信号を形成するためのプローブと、前記受信信号に基づいて前記圧力による対象体の変位及びストレインを計算し、前記変位に基づいて圧縮率を推定するためのプロセッサと、前記ストレイン及び前記圧縮率に基づいて超音波弾性映像を形成するための後処理部とを備える。
【００２０】
本発明の他の様態による弾性映像形成方法は、対象体に圧力が加えられる時と加えられない時に異なる波形の送信信号を形成し、前記送信信号を超音波信号に伝送し、前記対象体から反射される超音波エコー信号に基づいて受信信号を形成し、前記受信信号に基づいて前記圧力による対象体のストレインを計算し、前記ストレインに基づいて超音波弾性映像を形成する。
【００２１】
本発明の他の様態による弾性映像形成方法は、対象体に圧力が加えられる時と加えられない時に異なる波形の送信信号を形成し、前記送信信号を超音波信号に伝送し、前記対象体から反射される超音波エコー信号に基づいて受信信号を形成し、前記受信信号に基づいて前記圧力による対象体の変位及びストレインを計算し、前記変位に基づいて圧縮率を推定し、前記ストレイン及び前記圧縮率に基づいて超音波弾性映像を形成する。
【発明の効果】
【００２２】
本発明は、ストレスを加える時と加えない時にそれぞれ異なる波形を有する送信信号を伝送し、ストレス有無によって変わる受信信号間の相関度を向上させることができる。また、走査線ごとに変わる圧縮率の平均を反映させて弾性映像を正規化させることによって、ユーザの主観的性向に依存するストレスの大きさの変化の影響を減少させることができる。
【発明を実施するための最良の形態】
【００２３】
以下、添付された図面を参照して本発明による超音波診断システム及び弾性映像方法を説明する。
【００２４】
図２に示した通り、本発明による超音波診断システム１００は、送信信号形成部１０、プローブ２０、フレームデータ形成部３０、格納部４０、前処理部５０、プロセッサ６０、後処理部７０及びディスプレイ部８０を備える。また、超音波診断システム１００は、ユーザ入力部１０１とストレス感知部１０２をさらに備える。
【００２５】
送信信号形成部１０は、対象体にストレスが加えられない時に第１送信信号を形成し、ストレスが加えられる時に第１送信信号と異なる波形を有する第２送信信号を形成する。第１送信信号及び第２送信信号は、Ｂ−モード超音波映像形成のための送信信号である。対象体は対象体内の反射体、反射体周辺の媒質などをいずれも備える。
【００２６】
プローブ２０は、第１送信信号または第２送信信号を第１超音波送信信号及び第２超音波送信信号にそれぞれ変換させて対象体に伝達し、対象体から入力される超音波エコー信号に基づいて受信信号を形成する。プローブ２０は、第１送信信号と第２送信信号に対応して第１受信信号及び第２受信信号をそれぞれ形成する。
【００２７】
フレームデータ形成部３０は、第１受信信号または第２受信信号を集束してフレームデータを形成する。フレームデータは、ＲＦデータまたは基底帯域複素データ（ｂａｓｅｂａｎｄ  ｃｏｍｐｌｅｘ  ｄａｔａ）形式を有する。
【００２８】
格納部４０は、フレームの順にフレームデータを格納する。格納部４０は、前記第１受信信号が集束されて形成された第１フレームデータと第２受信信号が集束されて形成された第２フレームデータを格納する。
【００２９】
前処理部５０は、第１及び第２フレームデータから第１受信信号及び第２受信信号を抽出し、第１受信信号及び第２受信信号をログ圧縮して振幅を大きくし、ノイズによる誤差を減少させる。これにより、前処理されたフレームデータが得られる。
【００３０】
プロセッサ６０は、前処理されたフレームデータから対象体の変形率を算出して圧縮率を推定する。より詳細には、プロセッサ６０は前処理された第１受信信号と第２受信信号に基づいて交差相関（ｃｒｏｓｓ−ｃｏｒｒｅｌａｔｉｏｎ）方法または自己相関（ａｕｔｏ−ｃｏｒｒｅｌａｔｉｏｎ）方法で変位を計算し、変位を距離に対して微分して局部変位（ｌｏｃａｌ  ｄｉｓｐｌａｃｅｍｅｎｔ）即ち、変形率（ストレイン）を算出する。このような変形率の算出方法は、本発明の属する技術分野において公知の方法であるので、詳細な説明は省略する。また、プロセッサ６０は、前処理された第１受信信号と第２受信信号を自己相関または交差相関を用いて計算した変位のうち、最大値を圧縮率αと推定する。人体のように構成が複雑な対象体内部の場合、弾性係数が一定でないので、走査線ごとに圧縮率αが変わるので、これを考慮し、プロセッサ６０は全ての走査線に対して圧縮率αを計算した後に平均圧縮率αmを算出する。圧縮率はストレスに比例するので、算出された平均圧縮率を平均ストレスと見なすことができる。
【００３１】
後処理部７０は、次の式９のように変形率を平均圧縮率αmで除して正規化された変形率を求めた後に弾性映像を形成し、正規化された変形率の大きさによって擬似カラー（ｐｓｅｕｄｏ  ｃｏｌｏｒ）でマッピングする。
正規化された変形率＝変形率／│αm│        -----式９
【００３２】
また、後処理部７０は正規化された変形率を求めた後、ノイズを減少させるための低域通過フィルタリングまたはメディアンフィルタリングを実施する。弾性映像は加えられるストレスの大きさによってコントラストが変わり、ストレスの大きさは加えられる速度、ユーザの熟練度などによって変わるが、前述した正規化によりストレスの大きさの変化を補償することができる。
【００３３】
ディスプレイ部８０は、フレームデータ形成部３０から入力されたフレームデータに基づいてＢ−モード超音波映像をディスプレイし、後処理部７０から入力された弾性映像をディスプレイする。ディスプレイ部８０は弾性映像をＢ−モード映像と共にディスプレイすることができる。
【００３４】
ユーザ入力部１０１は、ユーザから対象体にストレスが加えられ始めるストレス開始信号の入力を受ける。
【００３５】
ストレス感知部１０２は、プローブ２０を通じて対象体にストレスが加えられることを感知し、ストレス感知信号を生成する。ストレス感知部１０２は、図３に示した通り、プローブ２０に付着されることができる。本発明による超音波診断システムのプローブ２０は、スキャン面の周辺を取り囲むストレス伝達部２１を備え、ストレス感知部１０２はストレス伝達部２１上に装着されることができる。このようにストレス伝達部２１を備えるプローブ２０を用いて対象体に、より均一にストレスを加えることができる。
【００３６】
以下、送信信号形成部１０でそれぞれ異なる波形を有する第１送信信号及び第２送信信号を形成する方法をより具体的に説明する。
【００３７】
送信信号形成部１０は、ユーザ入力部１０１から入力されるストレス開始信号またはストレス感知部１０２からストレス感知信号に応答して第２送信信号を形成する。第２送信信号は、プロセッサ６０から入力された圧縮率αまたは平均圧縮率αmを反映させて形成する。即ち、ストレスを加えない時は圧縮率が適用されていない第１送信信号P1(t)を生成し、ストレスを加える時はプロセッサ６０から入力される圧縮率を適用して第１送信信号P1(t)の波形を時間軸で圧縮した第２送信信号P2(t)を生成する。第１送信信号P1(t)と第２送信信号P2(t)は次の式１０のような関係を有する。
P2(t)＝P1(αt)          -----式１０
【００３８】
ストレスを加えない時と加える時、即ち、圧縮率が適用されていない送信信号と圧縮率が適用された送信信号にそれぞれ対応する受信信号r3(t)とr4(t)は次の式１１と１２のように表現される。
r3(t)＝P1(t)＊s(t)          -----式１１
r4(t)＝P2(t)＊s(t)          -----式１２
【００３９】
前述したようにストレスによる対象体の圧縮率を反映させて送信信号を時間軸上で圧縮させる場合、受信信号r4(t)は次の式１３のように表現される。
r4(t)＝P1(αt)＊s(t)          -----式１３
【００４０】
従って、受信信号r4(t)を時間軸上で圧縮率αだけ伸長させれば、受信信号r3(t)と同様になる。ストレスが加えられる対象体に伝送される時の送信信号、即ち第２送信信号を圧縮率を適用して形成すれば、ストレスを加える時に得られる受信信号と、ストレスを加えない時に得られる受信信号の相関度が高くなり、変形率推定性能が向上する。即ち、式１２及び１３から受信信号r3(t)、r4(t)は次の式１４のような関係を有する。
r4(t/α)＝r3(t)              -----式１４
【００４１】
式１４からストレスを加える時の受信信号r4(t)を時間軸上で圧縮率αだけ伸長させれば、ストレスを加えない時の受信信号r3(t)と同様になる。従って、圧縮率αが分かれば、│１−α│値を反映させて変形率を求めることができる。
【００４２】
図４は、本発明の第２実施例による超音波診断システムの構成を示すブロック図である。超音波診断システム２００は図１に示す超音波診断システムの構成に側面動き推定部１０３をさらに備える。
【００４３】
側面動き推定部１０３は、前処理された第１受信信号と第２受信信号が順に入力され、ストレスよる対象体の動き変化を推定する。ストレスが加えられる時に人体内媒質の弾性が不均一であり、側面方向に反射体の動きが示される。このような側面方向の動きは信号の非相関度を増加させるので、計算誤差を誘発する。従って、連続したフレームデータで側面方向の動きを計算して補償しなければならない。このような側面方向の動きの大きさはＢ−モード映像でスペックルのパターン整合方法や連続した二つの映像フレームで隣接スキャンラインとの相関度を用いて計算することができる。
【００４４】
プロセッサ６０は動きが推定された部分の変位を計算し、変位を反映させて前処理されたフレームデータから対象体の変形率を算出する。
【００４５】
超音波診断システム２００の送信信号形成部１０、プローブ２０、フレームデータ形成部３０、格納部４０、前処理部５０、後処理部７０、ディスプレイ部８０、ユーザ入力部１０１及びストレス感知部１０２は、前述した図１の超音波診断システム１００の構成及び機能を有するので、その詳細な説明は省略する。
【００４６】
本発明の好適な実施の形態について説明し、例示したが、本発明の特許請求の範囲の思想及び範疇を逸脱することなく、当業者は種々の改変をなし得ることが分かるであろう。
【図面の簡単な説明】
【００４７】
【図１】ストレス有無による受信信号の長さ変化を示すグラフである。
【図２】本発明の第１実施例による超音波診断システムの構成を示すブロック図である。
【図３】図２に示される超音波診断システム内に備えられるプローブの構成を示すブロック図である。
【図４】本発明の第２実施例による超音波診断システムの構成を示すブロック図である。
【符号の説明】
【００４８】
１００：超音波診断システム
１０：送信信号形成部
２０：プローブ
３０：フレームデータ形成部
４０：格納部
５０：前処理部
６０：プロセッサ
７０：後処理部
８０：ディスプレイ部
１０１：ユーザ入力部
１０２：ストレス感知部
１０３：側面動き推定部
【図１】
2007195984.tif 000004
【図２】
2007195984.tif 000005
【図３】
2007195984.tif 000006
【図４】
2007195984.tif 000007